(57)【要約】【課題】レーザダイオードを適切に保護する。【解決手段】レーザダイオード３１のアノードは、スタートリミットスイッチ２５の一端に接続される。レーザダイオード３１のカソードは、接地される。また、スタートリミットスイッチ２５の他端も接地される。ピックアップ１２が光ディスクの最内周側の位置に移送されたとき、ピックアップ１２は、スタートリミットスイッチ２５を押圧し、スタートリミットスイッチ２５は閉じる。スタートリミットスイッチ２５が閉じると、レーザダイオード３１のアノードとカソードとが短絡される。【選択図】図３
2006209904.tif 000002
【特許請求の範囲】
【請求項１】
電流流入端と電流流出端とを備え、電流流入端から電流流出端に流れる電流によって光ディスクの記録面に照射する光を発する発光手段と、
前記発光手段と光ディスクとを相対移動させる移動手段と、
前記発光手段が前記光ディスクに対して発光が不要である位置まで移動したときに検出信号を出力する検出手段と、
前記発光手段の前記電流流入端と前記電流流出端とに接続され、前記検出手段からの検出信号に基づいて、前記発光手段の前記電流流入端と前記電流流出端とを電気的に接続する接続手段と、
を備えることを特徴とする光ディスク装置。
【請求項２】
前記検出手段は、
前記検出信号を出力するスイッチと、
前記発光手段が前記光ディスクにおいて光照射を不要とする発光不要位置まで移動したときに、前記スイッチ手段を、前記検出信号を出力するように制御するスイッチ制御手段と、
を備える、ことを特徴とする請求項1に記載の光ディスク装置。
【請求項３】
前記移動手段は、前記スイッチ制御手段を前記光ディスクの半径方向に移送する移送手段を備え、前記検出手段は、前記発光手段を搭載して前記移送手段によって移送され、前記発光手段が前記光ディスクにおける発光不要位置まで移動して、前記スイッチ手段を制御する、ことを特徴とする請求項1に記載の光ディスク装置。
【請求項４】
電流流入端と電流流出端とを備え、電流流入端から電流流出端に流れる電流によって光ディスクの記録面に照射する光を発する発光手段と、
前記光ディスクに対する前記発光手段の光照射を不要とする状態として、前記光ディスクが、前記光ディスク収納用の筐体から排出されたことを検出する排出状態検出手段と、
前記排出状態検出手段の検出信号に応答して、前記発光手段の前記電流流入端と前記電流流出端とを電気的に接続する接続手段と、を備えることを特徴とする光ディスク装置。
【請求項５】
電流流入端と電流流出端とを備え、電流流入端から電流流出端に流れる電流によって光ディスクの記録面に照射する光を発する発光手段と、
前記光ディスクに対する前記発光手段の光照射を不要とする状態として、前記光ディスクが、前記光ディスク収納用の筐体から排出可能状態とされたことを検出する排出可能状態検出手段と、
前記排出可能状態検出手段の検出信号に応答して、前記発光手段の前記電流流入端と前記電流流出端とを電気的に接続する接続手段と、を備えることを特徴とする光ディスク装置。
【請求項６】
前記接続手段は、前記電流流入端と前記電流流出端と短絡する手段から構成される、ことを特徴とする請求項1乃全5のいずれかに記載の光ディスク装置。
【発明の詳細な説明】
【技術分野】
【０００１】
本発明は、光ディスク装置に関する。
【背景技術】
【０００２】
光ディスク装置は、光ディスクに光を照射して、光ディスクに記録されたデータを読み出すためのピックアップを備える。ピックアップは、光ディスクの面に光を照射する発光手段として、レーザダイオードを備える。このレーザダイオードは、半導体によって形成されているため、電流が供給されずに発光が停止していると、静電気に弱く、静電破壊されるおそれがある。
【０００３】
このため、レーザダイオードを、静電破壊から保護するようにする必要がある。光ディスク装置の製造工程において、レーザダイオードを取り付ける取付基板には、ランド部が形成され、レーザダイオードのアノードとカソードとは、このランド部にパターン配線される。このランド部は半田付けされてレーザダイオードのアノードとカソードとが短絡される（例えば、特許文献１参照）。
【０００４】
レーザダイオードを搭載したピックアップは、光ディスク装置の筐体に取り付けられる。筐体に取り付けられたピックアップは、一般的には、フレキシブルフラットケーブル（ＦＦＣ）を介して、ピックアップの駆動回路が搭載されたプリント基板に接続される。
【０００５】
ランド部の半田付けは、静電破壊のおそれがなくなる工程において、取り除かれる。しかし、光ディスク装置の製造工程において、ランド部を半田付けしたり、半田付けを取り除いたりしていたのでは、作業が繁雑になる。この点を改善したものとして、レーザダイオードの非動作時に、接点を閉じてレーザダイオードの両端をリレーで短絡するようにしたものがある（例えば、特許文献２参照）。
【特許文献１】特開２００２−１２４６２０号公報（第５−７頁、図４、図５）
【特許文献２】実開平１−１６１３５２号公報（第４−７頁、第１図）
【発明の開示】
【発明が解決しようとする課題】
【０００６】
しかし、このような従来のものであっても、レーザダイオードが非動作時であることを判別して、リレー接点を閉じる必要があり、発光素子の保護が十分とはいえない。
【０００７】
また、光ディスク装置のセットが複雑な構造になる傾向にあり、ピックアップに接続されるプリント基板には、必ずしも光検出信号の処理回路が搭載されず、プリント基板は信号を中継するだけのものになりつつある。
【０００８】
この場合、レーザダイオードのアノードとカソードとの短絡状態を、どの工程において解除すれば、最も適切にレーザダイオードを保護することができるかといったことも考慮されなければらない。
【０００９】
また、光ディスクの製造時だけでなく、光ディスクの製造後においても、レーザダイオードに電流が供給されない発光停止状態では、レーザダイオードの静電破壊が起こりうる。
【００１０】
本発明は、このような従来の問題点に鑑みてなされたもので、発光手段を適切に保護することが可能な光ディスク装置を提供することを目的とする。
【課題を解決するための手段】
【００１１】
この目的を達成するため、本発明の第１の観点に係る光ディスク装置は、
電流流入端と電流流出端とを備え、電流流入端から電流流出端に流れる電流によって光ディスクの記録面に照射する光を発する発光手段と、
前記発光手段と光ディスクとを相対移動させる移動手段と、
前記発光手段が前記光ディスクに対して発光が不要である位置まで移動したときに検出信号を出力する検出手段と、
前記発光手段の前記電流流入端と前記電流流出端とに接続され、前記検出手段からの検出信号に基づいて、前記発光手段の前記電流流入端と前記電流流出端とを電気的に接続する接続手段と、
を備えることを特徴とする。
【００１２】
例えば、前記検出手段は、前記検出信号を出力するスイッチと、前記発光手段が前記光ディスクにおいて光照射を不要とする発光不要位置まで移動したときに、前記スイッチ手段を、前記検出信号を出力するように制御するスイッチ制御手段と、を備える。
【００１３】
例えば、前記移動手段は、前記スイッチ制御手段を前記光ディスクの半径方向に移送する移送手段を備え、前記検出手段は、前記発光手段を搭載して前記移送手段によって移送され、前記発光手段が前記光ディスクにおける発光不要位置まで移動して、前記スイッチ手段を制御する。
【００１４】
この目的を達成するため、本発明の第２の観点に係る光ディスク装置は、
電流流入端と電流流出端とを備え、電流流入端から電流流出端に流れる電流によって光ディスクの記録面に照射する光を発する発光手段と、
前記光ディスクに対する前記発光手段の光照射を不要とする状態として、前記光ディスクが、前記光ディスク収納用の筐体から排出されたことを検出する排出状態検出手段と、
前記排出状態検出手段の検出信号に応答して、前記発光手段の前記電流流入端と前記電流流出端とを電気的に接続する接続手段と、を備えることを特徴とする。
【００１５】
この目的を達成するため、本発明の第３の観点に係る光ディスク装置は、
電流流入端と電流流出端とを備え、電流流入端から電流流出端に流れる電流によって光ディスクの記録面に照射する光を発する発光手段と、
前記光ディスクに対する前記発光手段の光照射を不要とする状態として、前記光ディスクが、前記光ディスク収納用の筐体から排出可能状態とされたことを検出する排出可能状態検出手段と、
前記排出可能状態検出手段の検出信号に応答して、前記発光手段の前記電流流入端と前記電流流出端とを電気的に接続する接続手段と、を備えることを特徴とする。
【００１６】
前記接続手段は、望ましくは、前記電流流入端と前記電流流出端と短絡する手段から構成される。
【発明の効果】
【００１７】
本発明によれば、発光手段を適切に保護することができる。
【発明を実施するための最良の形態】
【００１８】
以下、本発明の実施の形態に係る光ディスク装置を図面を参照して説明する。
本実施形態に係る光ディスク装置の構成を図１に示す。
本実施形態に係る光ディスク装置は、光ディスク１に記録されたデータを読み出すためのものである。但し、光ディスク装置は、データを読み出すとともに、光ディスク１にデータを記録する機能を備えたものであってよい。
【００１９】
光ディスク装置は、スピンドルモータ１１と、ピックアップ１２と、ＡＰＣ（Auto Power Control）回路１３と、信号処理部１４と、フォーカス制御部１５と、ドライバ１６と、トラッキング制御部１７と、ドライバ１８と、フィルタ１９と、スレッド制御部２０と、ドライバ２１と、スレッドモータ２２と、ガイド２３と、突き当て部２４と、スタートリミットスイッチ２５と、状態検出回路２６と、ホストコントローラ２７と、を備えている。
【００２０】
この光ディスク１は、例えば、ＣＤ（Compact Disk）、ミニディスク（ＭＤ；Mini Disk）、ＤＶＤ（Digital Versatile Disk）、ＭＯ（Magneto Optical disk）といったディスク状記録媒体である。
【００２１】
光ディスク１には、内周側からリードインエリア、プログラムエリア、リードアウトエリアが形成されている。リードインエリアは、トラック情報を示すＴＯＣ（Table Of Contents）が記録される領域である。プログラムエリアは、楽曲データ等のユーザデータを記録するための領域である。リードアウトエリアは、データの読み出しを終了させるための領域である。
【００２２】
スピンドルモータ１１は、光ディスク１を回転させるためのモータである。
ピックアップ１２は、光ディスク１の記録面に光を照射して光ディスク１に記録されたデータを読み出すためのものであり、図２に示すように、レーザダイオード３１と、ピンフォトダイオード３２と、コリメータレンズ３３と、偏光ビームスプリッタ３４と、１／４波長板３５と、対物レンズ３６と、光検出器３７と、を備える。
【００２３】
レーザダイオード３１は、光ディスク１の面に照射するレーザ光を発する発光手段である。
ピンフォトダイオード３２は、レーザダイオード３１の発光によりレーザダイオード３１の裏面から出射した裏面出射光を受光して、その光の強度に対応する信号レベルの光強度信号をＡＰＣ回路１３に出力するものである。
【００２４】
コリメータレンズ３３は、レーザダイオード３１の発光によりレーザダイオード３１の前面から出射した前面出射光を平行光に変換するものである。
【００２５】
偏光ビームスプリッタ３４は、コリメータレンズ３３からの平行光と光ディスク１からの戻り光とを分離して、光ディスク１からの戻り光を光検出器３７に導くためのものである。
【００２６】
１／４波長板３５は、コリメータレンズ３３から偏光ビームスプリッタ３４を通過した光を円偏光に変換するためのものである。
【００２７】
対物レンズ３６は、１／４波長板３５によって変換された円偏光を集光して光ディスク１に照射する光を光スポットにするためのものである。
【００２８】
光検出器３７は、偏光ビームスプリッタ３４で分離した光ディスク１からの戻り光を受光して、戻り光の強度に応じた信号レベルの電気信号を光検出信号として信号処理部１４に出力するものである。
【００２９】
図１に戻り、ＡＰＣ回路１３は、レーザダイオード３１に電流を供給して、レーザダイオード３１を発光させるとともに、レーザダイオード３１の光出力制御を行うものである。ＡＰＣ回路１３は、ピンフォトダイオード３２から出力された光強度検出信号に基づいて、レーザダイオード３１の発光出力の制御を行う。
【００３０】
信号処理部１４は、光検出器３７が出力した光検出信号に基づいて、ＲＦ（Radio Frequency）信号と、ＦＥ（フォーカスエラー）信号と、ＴＥ（トラッキングエラー）信号と、を生成するものである。ＦＥ信号は、光スポットが合焦した場合の合焦距離と、対物レンズ３６の光ディスク１の記録面までの距離との誤差を示す信号であり、ＴＥ信号は、光ディスク１の記録面において、読み取り中のトラックの中心位置と光スポットの位置との誤差を示す信号である。信号処理部１４は、生成したＦＥ信号をフォーカス制御部１５に供給し、ＴＥ信号をトラッキング制御部１７とフィルタ１９とに供給する。
【００３１】
フォーカス制御部１５は、フォーカスサーボがオンしている場合、信号処理部１４から供給されたＦＥ信号に基づいて位相補償とゲイン調整とを行い、ＦＥ信号の信号レベルを０に近づけるようなフォーカス制御信号をドライバ１６へ供給するものである。
【００３２】
ドライバ１６は、フォーカス制御部１５から供給されたフォーカス制御信号に基づいて、ピックアップ１２の対物レンズ３６の位置を制御するものである。
【００３３】
トラッキング制御部１７は、トラッキングサーボがオンしている場合、ＴＥ（トラッキングエラー）信号に基づいて位相補償とゲイン調整とを行い、ＴＥ信号の信号レベルを０に近づけるようなトラッキング制御信号をドライバ１８に供給するものである。
【００３４】
ドライバ１８は、トラッキング制御部１７から供給されたトラッキング制御信号に基づいて、ピックアップ１２の姿勢を制御するものである。
【００３５】
フィルタ１９は、信号処理部１４から出力されたＴＥ信号の低域成分を取り出して、ＳＥ（スレッドエラー）信号を生成するものである。このＳＥ信号は、対物レンズ３６の現在位置と、ピックアップ１２上での中立位置との誤差を示す信号である。
【００３６】
スレッド制御部２０は、スレッドサーボがオンしている場合、ＳＥ信号に基づいてスレッド制御信号をドライバ２１に出力するものである。スレッド制御信号は、ＳＥ信号の信号レベルが所定の制御範囲内から外れた場合に、この制御範囲内に入るように制御するための信号である。
【００３７】
ドライバ２１は、スレッド制御部２０が出力したスレッド制御信号に基づいてスレッドモータ２２を制御するものである。スレッドモータ２２は、ドライバ２１に制御されてピックアップ１２を光ディスク１の外方向あるいは内方向に移動させるためのモータである。
【００３８】
ガイド２３は、ピックアップ１２を支持しつつ、ピックアップ１２を径方向に案内するためのものである。
【００３９】
従って、光ディスク装置がオフしているときは、スレッドモータ２２もオフし、ピックアップ１２は内周側に移動する。そして、ＡＰＣ回路１３も動作を停止するため、レーザダイオード３１の発光も停止する。ガイド２３の一端は、突き当て部２４で支持されている。この突き当て部２４は、ピックアップ１２の位置を最内周側で規制するものである。
【００４０】
スタートリミットスイッチ２５は、ピックアップ１２の位置検出用のスイッチである。ピックアップ１２は、最内周位置に移送されたときに、このスタートリミットスイッチ２５を押圧し、スタートリミットスイッチ２５は、閉じてオンする。スタートリミットスイッチ２５は、オンしてピックアップ１２が最内周位置に移送されたことを示す検出信号を出力する。
【００４１】
状態検出回路２６は、スタートリミットスイッチ２５が出力した検出信号に基づいてスタートリミットスイッチ２５のオン、オフ状態を検出するためのものである。状態検出回路２６は、例えば、コンパレータで構成される。但し、状態検出回路２６は、Ａ／Ｄコンバータによって構成されてもよいし、コンピュータが備えるＡ／Ｄポートによって構成されてもよい。
【００４２】
ホストコントローラ２７は、ＣＰＵ（Central Processing Unit）、ＲＯＭ（Read Only Memory）、ＲＡＭ（Random Access Memory）等を備え、光ディスク装置全体を制御するものである。
【００４３】
ホストコントローラ２７は、光ディスク１の記録面に照射された光スポットを、トラックに追従させる場合は、フォーカスサーボ、トラッキングサーボ、スレッドサーボをオンにする。
【００４４】
また、ホストコントローラ２７は、光スポットを光ディスク１の半径方向にトラックジャンプさせる場合は、サーボ、トラッキングサーボ、スレッドサーボをオフにする。
【００４５】
そして、光スポットが目標となるトラックに達した場合、ホストコントローラ２７は、トラッキングサーボをオンしてからスレッドサーボをオンする。
【００４６】
また、ホストコントローラ２７は、状態検出回路２６を介して、スタートリミットスイッチ２５のオン、オフ状態を取得する。
【００４７】
ホストコントローラ２７は、スタートリミットスイッチ２５がオン状態であることを判別すると、ピックアップ１２が最内周に位置したことを判別して、レーザダイオード３１の発光を停止する。
【００４８】
図３に示すように、ホストコントローラ２７と状態検出回路２６とＡＰＣ回路１３とは、メイン基板部４１に配置され、スタートリミットスイッチ２５とピックアップ１２とは、メカ部４２に配置される。
【００４９】
また、スタートリミットスイッチ２５の一端は、状態検出回路２６に接続され、他端は、接地されている。スタートリミットスイッチ２５は、オンすることにより、その一端と他端とが短絡する。
【００５０】
レーザダイオード３１のアノードは、ＡＰＣ回路１３とスタートリミットスイッチ２５の一端に接続される。レーザダイオード３１のカソードは接地される。
【００５１】
ピンフォトダイオード３２のアノードは、レーザダイオード３１のカソードに接続され、接地される。また、ピンフォトダイオード３２のカソードは、ＡＰＣ回路１３に接続される。
【００５２】
前述のように、スタートリミットスイッチ２５は、光ディスク１の最内周側の位置で、ピックアップ１２により押圧される。また、この光ディスク１の最内周側の位置は、レーザダイオード３１の発光が不要な位置でもある。従って、スタートリミットスイッチ２５は、レーザダイオード３１の発光停止に連動して閉じ、レーザダイオード３１の両端を短絡するようになっている。つまり、本実施形態では、レーザダイオード３１のアノード及びカソードがそれぞれ接地され、アノード、カソードがともに同電位とされる。
【００５３】
次に、このメカ部４２の構造の一例を図４に示す。
スピンドルモータ１１は、シャーシ４３に取り付けられる。スピンドルモータ１１には、ターンテーブル４４が直結されている。光ディスク１は、ターンテーブル４４に載置され、ターンテーブル４４とチャッキング部４５とによって支持される。シャーシ４３には突き当て部２４が形成され、また、シャーシ４３は、ガイド２３を支持可能なように形成されている。
【００５４】
シャーシ４３の底部には、スレッドモータ２２が取り付けられる。ピックアップ１２は、ガイド２３によって支持され、ピックアップ１２にラックギア４６が係合される。スレッドモータ２２は、減速機４７を介してラックギア４６を回転する。ラックギア４６が回転することによって、ピックアップ１２は、ガイド２３に案内されて光ディスク１の径方向に移送される。
【００５５】
このメカ部４２とメイン基板部４１とは、ＦＦＣ（Flexible Flat Cable）４８を介して接続される。また、スタートリミットスイッチ２５とレーザダイオード３１とは、ともに、光ディスク１へのデータの記録又は再生を行うためのメカ部４２に配置される。
【００５６】
これにより、ＦＦＣ４８がメカ部４２とメイン基板部４１に接続されていなくても、スタートリミットスイッチ２５は、レーザダイオード３１の両端を短絡して、レーザダイオード３１の静電気から保護する。
【００５７】
レーザダイオード３１のカソードとスタートリミットスイッチ２５の他端とを接地するには、配線によって行われる。但し、レーザダイオード３１のカソードとスタートリミットスイッチ２５の他端とが、例えば、ガイド２３、シャーシ４３を介して電気接続されるようにしてもよい。
【００５８】
この場合、ガイド２３は、例えば、導電性の部材で形成され、このガイド２３とピックアップ１２内のレーザダイオード３１のカソードとが接続される。また、シャーシ４３は、例えば、絶縁物でコーティングされた鉄部材によって形成され、スタートリミットスイッチ２５の他端がシャーシ４３に接続される。
【００５９】
次に、本実施形態に係る光ディスク装置の動作を説明する。
製造工程において、光ディスク装置に電源が投入されていなければ、ピックアップ１２は、最内周側に位置している。ピックアップ１２は、スタートリミットスイッチ２５を押圧し、スタートリミットスイッチ２５は、オンする。
【００６０】
スタートリミットスイッチ２５がオンすると、レーザダイオード３１のアノードは、スタートリミットスイッチ２５を介してシャーシ４３に接地される。また、レーザダイオード３１のカソードは、シャーシ４３に接地されているため、レーザダイオード３１のアノードとカソードとは短絡される。これにより、レーザダイオード３１の静電破壊は防止される。
【００６１】
メイン基板部４１とメカ部４２とは、ＦＦＣ４８を介して接続される。光ディスク装置に電源が投入されると、光ディスク装置は動作を開始する。ホストコントローラ２７は、スタートリミットスイッチ２５がオンしているため、ピックアップ１２が最内周側に位置していることを判別する。
【００６２】
ホストコントローラ２７は、光ディスク装置の各部を初期化する。また、ホストコントローラ２７は、フォーカスサーボ、トラッキングサーボ、スレッドサーボをオフにして、ピックアップ１２を移送するように、スレッド制御部２０を制御する。スレッドモータ２２は、スレッド制御部２０によって制御されてピックアップ１２を移送し、スタートリミットスイッチ２５は、オフする。
【００６３】
スタートリミットスイッチ２５がオフすると、レーザダイオード３１のアノードとカソードとは、短絡から解除される。ホストコントローラ２７は、状態検出回路２６を介して、スタートリミットスイッチ２５のオフを判別して、レーザダイオード３１の光出力制御を行うようにＡＰＣ回路１３を制御する。
【００６４】
ＡＰＣ回路１３は、レーザダイオード３１に電流を供給して、レーザダイオード３１を発光させる。ピンフォトダイオード３２は、レーザダイオード３１の発光により、出射した裏面からの裏面出射光を受光して、その光の強度に対応する信号レベルの光強度信号をＡＰＣ回路１３に出力する。
【００６５】
ＡＰＣ回路１３は、ピンフォトダイオード３２から出力された光強度検出信号に基づいて、レーザダイオード３１の発光出力の制御を行う。
【００６６】
また、ピックアップ１２の光スポットが光ディスク１のリードインエリアの絶対位置０を捉え、光ディスク装置は、リードインエリアに記録されたＴＯＣを読み取る。ホストコントローラ２７は、フォーカスサーボ、トラッキングサーボ、スレッドサーボをオンにして、光ディスク１の記録面に照射された光スポットを、トラックに追従させる。
【００６７】
そして、光ディスク装置は、プログラムエリアに記録された楽曲データ等のユーザデータを読み取る。このように、スタートリミットスイッチ２５がオフしてレーザダイオード３１のアノードとカソードとが短絡から解除されると、光ディスク装置は、レーザダイオード３１の発光等を行う。
【００６８】
以上説明したように、本実施形態によれば、スタートリミットスイッチ２５の一端とレーザダイオード３１のアノードとを接続し、レーザダイオード３１の発光停止に連動してスタートリミットスイッチ２５がオンし、レーザダイオード３１のアノードとカソードとが接地されるグラウンドを介して短絡されるようにした。
【００６９】
従って、光ディスク装置の製造工程やユーザによる使用状態において、レーザダイオード３１を静電気から適切に保護することができる。
【００７０】
また、レーザダイオード３１とスタートリミットスイッチ２５とが、メカ部４２に配置されることにより、メイン基板部４１とメカ部４２とがＦＦＣ４８によって接続されていなくても、スタートリミットスイッチ２５は、レーザダイオード３１の両端を短絡して、レーザダイオード３１を静電気から適切に保護することができる。
【００７１】
そして、ピックアップ１２と接続されるメイン基板部４１に回路が搭載されていない場合であっても、組立工程において、回路を搭載する基板に中継基板を接続する前であっても、ショート半田を要さないことになり、ピックアップ１２の光ディスク装置への取付工程において、製造工程を簡略化することができる。
【００７２】
尚、本発明を実施するにあたっては、種々の形態が考えられ、上記実施の形態に限られるものではない。
【００７３】
例えば、スタートリミットスイッチ２５の代わりに、光ディスク装置のディスクを搬送するためのトレイやディスクを収納するための回動蓋等の可動部に備えられたスイッチを用いて、レーザダイオード３１のアノードとカソードとを短絡することもできる。
【００７４】
図５に示すように、トレイ５１は、光ディスク１を載置する載置台５１ａを備え、載置台５１ａが光ディスク１収納用の筐体５２から外に突出するまで移動し、突出して載置台５１ａに載置された光ディスク１を筐体５２内まで搬送するものである。
【００７５】
筐体５２内には、ＣＤスイッチ５３が配置される。トレイ５１は、載置台５１ａが筐体５２から外に突出するまで移動したときに、光ディスク１が筐体５２から排出されたことを検出して、ＣＤスイッチ５３をオンする。
即ち、トレイ５１は、光ディスク１に対するレーザダイオード３１の光照射を不要とする状態として、光ディスク１が筐体５２から排出されたことを検出するものとしても機能する。
ＣＤスイッチ５３は、オンして、光ディスク１が筐体５２から排出されたことを検出したことを示す検出信号を出力する。ＣＤスイッチ５３がオンして検出信号を出力すると、ホストコントローラ２７は、レーザダイオード３１の電流入出力線を短絡する。
【００７６】
また、図６に示すように、回動蓋６１は、光ディスク１を収納する筐体６２に備えられた蓋である。筐体６２内には、スイッチ６３が配置され、回動蓋６１は、開いたときに、スイッチ６３をオンする。
即ち、回動蓋６１は、光ディスク１に対するレーザダイオード３１の光照射を不要とする状態として、光ディスク１が筐体６２から排出可能になされたことを検出するものとしても機能する。
スイッチ６３は、オンして、光ディスク１が筐体６２から排出されたことを検出したことを示す検出信号を出力する。スイッチ６３がオンして検出信号を出力すると、ホストコントローラ２７は、レーザダイオード３１の電流入出力線を短絡する。
【００７７】
このスイッチは、トレイや回動蓋の位置検出用のスイッチとして備えられた一般的なものであり、このようにすれば、直接、ユーザがレーザダイオード３１に触れることができるポーダブル機器、トップに開閉口のあるセットに対しても、ピックアップ１２の保護が可能となる。
【００７８】
上記実施形態では、スタートリミットスイッチ２５の一端とレーザダイオード３１のアノードとを接続し、レーザダイオード３１のカソードとスタートリミッタスイッチ２５の他端とは、シャーシを介して接続されるように構成された。しかし、レーザダイオード３１のカソードとスタートリミットスイッチ２５の他端とが直接接続されてもよい。
重要なことは、レーザダイオード３１の電流流入端と電流流出端とを電気的に接続する点である。
また、レーザダイオード３１の電流流入端と電流流出端とを短絡することが望ましいが、ある程度のインピーダンス（抵抗、キャパシタンス、インダクタンス）を介してこれらを電気的に接続してもよい。
【００７９】
スタートリミットスイッチ２５は、メカニカルスイッチである必要はなく、トランジスタ等によって構成された半導体スイッチであってもよい。
発光手段は、レーザダイオード３１に限られるものではなく、ＬＥＤ（Light Emitting Diode）等であってもよく、いずれの場合も発光するためのエネルギーを供給するための電流流入端と電流流出端との間を適宜接続する。
【図面の簡単な説明】
【００８０】
【図１】本発明の実施形態に係る光ディスク装置の構成を示すブロック図である。
【図２】図１に示すピックアップの構成を示す断面図である。
【図３】図１に示す光ディスク装置の回路構成を示す回路図である。
【図４】図１に示す光ディスク装置のメカ部の一例を示す断面図である。
【図５】図１に示す光ディスク装置の応用例として、ＣＤスイッチを利用してレーザダイオードの電流入出力線を短絡する構成を示す説明図である。
【図６】図１に示す光ディスク装置の応用例として、回動蓋に備えられたスイッチを利用してレーザダイオードの電流入出力線を短絡する構成を示す説明図である。
【符号の説明】
【００８１】
１  光ディスク
３１  レーザダイオード
３２  ピンフォトダイオード
２５  スタートリミットスイッチ
【図１】
2006209904.tif 000003
【図２】
2006209904.tif 000004
【図３】
2006209904.tif 000005
【図４】
2006209904.tif 000006
【図５】
2006209904.tif 000007
【図６】
2006209904.tif 000008